(57)【特許請求の範囲】
【請求項１】
１つの表示面に、異なる複数の動画像のサムネール画像を表示するサブ表示エリアの画面と、前記サブ表示エリアの画面から選択された１つの前記サブ表示エリアの画像を表示するメイン表示エリアの画面とを表示するための画像信号を生成する生成部と、
ユーザからの操作信号を取得する操作信号取得部と、
前記サブ表示エリアおよび前記メイン表示エリアの画面が表示されているときに、前記サブ表示エリアおよび前記メイン表示エリアの画面に共通の操作信号であって、前記画面の全画面表示を指示する前記操作信号が取得された場合、
前記サブ表示エリアの画面がフォーカスされていれば、前記サブ表示エリアの画面を全画面表示させるとともに前記メイン表示エリアの画面を消去し、
前記メイン表示エリアの画面がフォーカスされていれば、前記メイン表示エリアの画面を全画面表示させるとともに前記サブ表示エリアの画面を消去する
ように表示を切り替える制御を行う制御部と
を備える画像処理装置。
【請求項２】
前記画面が全画面表示されている状態において共通の前記操作信号が取得された場合、前記制御部は、前記全画面表示を解除し、再び前記サブ表示エリアの画面と前記メイン表示エリアの画面とを表示する
請求項１に記載の画像処理装置。
【請求項３】
前記制御部は、前記メイン表示エリアの前記画面が全画面表示されている状態において、前記メイン表示エリアの画像をスケーリングするユーザからの前記操作信号が取得された場合、前記メイン表示エリアの前記画像をスケーリングし、１倍以上の倍率で表示するときには、前記画像を拡大して部分的に表示する
請求項１に記載の画像処理装置。
【請求項４】
前記制御部は、前記メイン表示エリアの前記画面が全画面表示されている状態において、前記メイン表示エリアの画像を移動する前記操作信号が取得された場合、１倍以上の倍率で拡大されて部分的に表示されている前記メイン表示エリアの前記画像を移動する
請求項３に記載の画像処理装置。
【請求項５】
前記制御部は、前記サブ表示エリアの前記画面が全画面表示されている状態において、１つの前記サブ表示エリアの選択を決定する前記操作信号が取得された場合、選択された前記サブ表示エリアの前記画面をスケーリングし、他の前記サブ表示エリアの前記画面の一部が隠されずに表示される大きさまで拡大する
請求項１に記載の画像処理装置。
【請求項６】
前記制御部は、前記メイン表示エリアと前記サブ表示エリアの前記画面を連携してスケーリングする前記操作信号のうちの、前記メイン表示エリアの表示を拡大する前記操作信号を取得した場合、前記メイン表示エリアの前記画面を拡大するのに連携して、前記サブ表示エリアの前記画面を縮小するとともに、前記サブ表示エリアの表示を拡大する前記操作信号を取得した場合、前記サブ表示エリアの前記画面を拡大するのに連携して、前記メイン表示エリアの前記画面を縮小する
請求項１に記載の画像処理装置。
【請求項７】
テキスト情報表示モードの切り替えの前記操作信号が取得された場合、前記制御部は、前記テキスト情報を表示するエリアを前記メイン表示エリアと前記サブ表示エリアの両方の画面に表示するモード、前記サブ表示エリアの画面にのみ表示するモード、および両方の画面に表示しないモードのいずれかに、順次、循環的に遷移させて切り替える
請求項１に記載の画像処理装置。
【請求項８】
プログレスバー表示モードの切り替えの前記操作信号が取得された場合、前記制御部は、前記プログレスバーを表示するエリアを前記メイン表示エリアと前記サブ表示エリアの両方の画面に表示しないモード、前記メイン表示エリアの画面にのみ表示するモード、および両方の画面に表示するモードのいずれかに、順次、循環的に遷移させて切り替える
請求項１に記載の画像処理装置。
【請求項９】
複数の前記サムネール画像の元となる異なる複数の画像信号を、放送信号またはインターネットを介して取得する画像信号取得部をさらに備える
請求項１に記載の画像処理装置。
【請求項１０】
１つの表示面に、異なる複数の動画像のサムネール画像を表示するサブ表示エリアの画面と、前記サブ表示エリアの画面から選択された１つの前記サブ表示エリアの画像を表示するメイン表示エリアの画面とを表示するための画像信号を生成し、
ユーザからの操作信号を取得し、
前記サブ表示エリアおよび前記メイン表示エリアの画面が表示されているときに、前記サブ表示エリアおよび前記メイン表示エリアの画面に共通の操作信号であって、前記画面の全画面表示を指示する前記操作信号が取得された場合、
前記サブ表示エリアの画面がフォーカスされていれば、前記サブ表示エリアの画面を全画面表示させるとともに前記メイン表示エリアの画面を消去し、
前記メイン表示エリアの画面がフォーカスされていれば、前記メイン表示エリアの画面を全画面表示させるとともに前記サブ表示エリアの画面を消去する
ように表示を切り替える制御を行う
ステップを含む画像処理装置の画像処理方法。
【請求項１１】
１つの表示面に、異なる複数の動画像のサムネール画像を表示するサブ表示エリアの画面と、前記サブ表示エリアの画面から選択された１つの前記サブ表示エリアの画像を表示するメイン表示エリアの画面とを表示するための画像信号を生成し、
ユーザからの操作信号を取得し、
前記サブ表示エリアおよび前記メイン表示エリアの画面が表示されているときに、前記サブ表示エリアおよび前記メイン表示エリアの画面に共通の操作信号であって、前記画面の全画面表示を指示する前記操作信号が取得された場合、
前記サブ表示エリアの画面がフォーカスされていれば、前記サブ表示エリアの画面を全画面表示させるとともに前記メイン表示エリアの画面を消去し、
前記メイン表示エリアの画面がフォーカスされていれば、前記メイン表示エリアの画面を全画面表示させるとともに前記サブ表示エリアの画面を消去する
ように表示を切り替える制御を行う
処理をコンピュータに実行させるプログラム。
【請求項１２】
１つの表示面に、異なる複数の動画像のサムネール画像を表示するサブ表示エリアの画面と、前記サブ表示エリアの画面から選択された１つの前記サブ表示エリアの画像を表示するメイン表示エリアの画面とを表示するための画像信号を生成し、
ユーザからの操作信号を取得し、
前記サブ表示エリアおよび前記メイン表示エリアの画面が表示されているときに、前記サブ表示エリアおよび前記メイン表示エリアの画面に共通の操作信号であって、前記画面の全画面表示を指示する前記操作信号が取得された場合、
前記サブ表示エリアの画面がフォーカスされていれば、前記サブ表示エリアの画面を全画面表示させるとともに前記メイン表示エリアの画面を消去し、
前記メイン表示エリアの画面がフォーカスされていれば、前記メイン表示エリアの画面を全画面表示させるとともに前記サブ表示エリアの画面を消去する
ように表示を切り替える制御を行う
処理をコンピュータに実行させるプログラムが記録されている記録媒体。
【発明の詳細な説明】
【技術分野】
【０００１】
本発明は画像処理装置および方法、プログラム並びに記録媒体に関し、特に、所望の画面を迅速にスケーリングできるようにした画像処理装置および方法、プログラム並びに記録媒体に関する。
【背景技術】
【０００２】
デジタル放送においては多くのチャンネルの画像をユーザに提供することが可能となる。ユーザは多くのチャンネルの画像信号の中から所望のチャンネルの画像信号を選択して、その画像を楽しむことができる。
【０００３】
通常、チャンネルの選択は、装置を遠隔制御するリモートコントローラを操作することで行われる（例えば、特許文献１）。
【０００４】
【特許文献１】特開２００７−８９０８８号公報
【発明の開示】
【発明が解決しようとする課題】
【０００５】
ところでリモートコントローラには所定の機能が割り付けられている多くのボタンが配置される。ボタンと機能を1対1に対応付ければ、確実な操作が可能となる。例えば表示されている複数の画面のうちの所定の画面を拡大して表示させる場合、各画面に専用の拡大ボタンを設けることができる。
【０００６】
しかし、そのようにすると、ボタンの数が多くなり、リモートコントローラが大きくなってしまうだけでなく、ユーザが所望の画面を迅速に拡大することが困難になる。
【０００７】
本発明は、このような状況に鑑みてなされたものであり、所望の画面を迅速にスケーリングできるようにするものである。
【課題を解決するための手段】
【０００８】
本発明の一側面は、１つの表示面に、異なる複数の動画像のサムネール画像を表示するサブ表示エリアの画面と、前記サブ表示エリアの画面から選択された１つの前記サブ表示エリアの画像を表示するメイン表示エリアの画面とを表示するための画像信号を生成する生成部と、ユーザからの操作信号を取得する操作信号取得部と、前記サブ表示エリアおよび前記メイン表示エリアの画面が表示されているときに、前記サブ表示エリアおよび前記メイン表示エリアの画面に共通の操作信号であって、前記画面の全画面表示を指示する前記操作信号が取得された場合、前記サブ表示エリアの画面がフォーカスされていれば、前記サブ表示エリアの画面を全画面表示させるとともに前記メイン表示エリアの画面を消去し、前記メイン表示エリアの画面がフォーカスされていれば、前記メイン表示エリアの画面を全画面表示させるとともに前記サブ表示エリアの画面を消去するように表示を切り替える制御を行う制御部とを備える画像処理装置である。
【００１１】
前記画面が全画面表示されている状態において共通の前記操作信号が取得された場合、前記制御部は、前記全画面表示を解除し、再び前記サブ表示エリアの画面と前記メイン表示エリアの画面とを表示することができる。
【００１２】
前記制御部は、前記メイン表示エリアの前記画面が全画面表示されている状態において、前記メイン表示エリアの画像をスケーリングするユーザからの前記操作信号が取得された場合、前記メイン表示エリアの前記画像をスケーリングし、１倍以上の倍率で表示するときには、前記画像を拡大して部分的に表示することができる。
【００１３】
前記制御部は、前記メイン表示エリアの前記画面が全画面表示されている状態において、前記メイン表示エリアの画像を移動する前記操作信号が取得された場合、１倍以上の倍率で拡大されて部分的に表示されている前記メイン表示エリアの前記画像を移動することができる。
【００１４】
前記制御部は、前記サブ表示エリアの前記画面が全画面表示されている状態において、１つの前記サブ表示エリアの選択を決定する前記操作信号が取得された場合、選択された前記サブ表示エリアの前記画面をスケーリングし、他の前記サブ表示エリアの前記画面の一部が隠されずに表示される大きさまで拡大することができる。
【００１５】
前記制御部は、前記メイン表示エリアと前記サブ表示エリアの前記画面を連携してスケーリングする前記操作信号のうちの、前記メイン表示エリアの表示を拡大する前記操作信号を取得した場合、前記メイン表示エリアの前記画面を拡大するのに連携して、前記サブ表示エリアの前記画面を縮小するとともに、前記サブ表示エリアの表示を拡大する前記操作信号を取得した場合、前記サブ表示エリアの前記画面を拡大するのに連携して、前記メイン表示エリアの前記画面を縮小することができる。
【００１６】
テキスト情報表示モードの切り替えの前記操作信号が取得された場合、前記制御部は、
前記テキスト情報を表示するエリアを前記メイン表示エリアと前記サブ表示エリアの両方
の画面に表示するモード、前記サブ表示エリアの画面にのみ表示するモード、および両方
の画面に表示しないモードのいずれかに、順次、循環的に遷移させて切り替えることができる。
【００１７】
プログレスバー表示モードの切り替えの前記操作信号が取得された場合、前記制御部は
、前記プログレスバーを表示するエリアを前記メイン表示エリアと前記サブ表示エリアの
両方の画面に表示しないモード、前記メイン表示エリアの画面にのみ表示するモード、お
よび両方の画面に表示するモードのいずれかに、順次、循環的に遷移させて切り替えることができる。
【００１８】
複数の前記サムネール画像の元となる異なる複数の画像信号を、放送信号またはインターネットを介して取得する画像信号取得部をさらに備えることができる。
【００１９】
本発明の一側面においては、１つの表示面に、異なる複数の動画像のサムネール画像を表示するサブ表示エリアの画面と、サブ表示エリアの画面から選択された１つのサブ表示エリアの画像を表示するメイン表示エリアの画面とを表示するための画像信号を生成する生成部と、ユーザからの操作信号を取得する操作信号取得部と、サブ表示エリアおよびメイン表示エリアの画面が表示されているときに、サブ表示エリアおよびメイン表示エリアの画面に共通の操作信号であって、画面の全画面表示を指示する操作信号が取得された場合、サブ表示エリアの画面がフォーカスされていれば、サブ表示エリアの画面を全画面表示させるとともにメイン表示エリアの画面を消去し、メイン表示エリアの画面がフォーカスされていれば、メイン表示エリアの画面を全画面表示させるとともにサブ表示エリアの画面を消去するように表示を切り替える制御が行われる。
【発明の効果】
【００２０】
以上のように、本発明の一側面によれば、所望の画面を迅速にスケーリングすることができる。
【発明を実施するための最良の形態】
【００２１】
以下、図を参照して本発明の実施の形態について説明する。
【００２２】
図１は本発明の画像処理装置の一実施の形態の構成を表している。この画像処理装置１は、ユーザにより操作される操作部２からの操作信号に基づいて所定の処理を行い、表示部３に画像を表示する。操作部２は図２を参照して後述するように、例えばリモートコントローラにより構成される。もちろん画像処理装置１の本体に取り付けられた各種のボタン、スイッチなどにより操作部2を構成することもできる。
【００２３】
表示部３はＬＣＤ（Liquid Crystal Display）、ＣＲＴ（Cathode Ray Tube）、有機ＥＬ（Electroluminescence）、プラズマなどのディスプレイにより構成され、１つの表示面４に画面を表示する。表示部３は音声を出力するスピーカ（図示せず）も内蔵している。
【００２４】
画像処理装置１と表示部３はテレビジョン受像機のように一体化して構成してもよいし、チューナとディスプレイのように別体として構成することもできる。
【００２５】
画像処理装置１は画像信号取得部１１、処理部１２、スケーリング部１３、生成部１４、制御部１５，操作信号取得部１６、および記録部１７を有している。記録部１７の全部または一部は画像信号処理装置１の本体とは別体として構成することもできる。
【００２６】
画像信号取得部１１は複数の受信部３１−1乃至３１−９と、複数の通信部３２−１乃至３２−９を有している。処理部１２は複数のエンデコーダ４１−１乃至４１−９を有している。なお、以下、これらの各部を個々に区別する必要がない場合、単に受信部３１、通信部３２、またはエンデコーダ４１と記述する。他の部分についても同様とする。
【００２７】
受信部３１−1乃至３１−９は、それぞれ地上波、あるいは衛星放送、通信衛星、ケーブルにより伝送される放送信号などから、異なるチャンネルの画像信号を独立に同時に受信する機能を有している。そしてエンデコーダ４１−１乃至４１−９は、受信部３１−1乃至３１−９により受信された画像信号を同時に独立にデコードし、スケーリング部１３に出力する。従って、この実施の形態の場合、合計９チャンネルのコンテンツの画像信号を同時に取得可能である。もちろんこれらの数は任意であり、９個に限られるものではない。
【００２８】
またエンデコーダ４１−１乃至４１−９は、記録部１７に記録させる画像信号をエンコードする機能も有している。記録部１７により再生された画像信号はエンデコーダ４１−１乃至４１−９によりデコードされ、スケーリング部１３に出力される。
【００２９】
通信部３２−１乃至３２−９は、インターネットに代表される各種のネットワークを介して異なる画像信号を同時に受信する機能を有している。従って、ネットワークを介しても異なる9個のコンテンツの画像信号を取得することができる。
【００３０】
スケーリング部１３は処理部１２のエンデコーダ４１−1乃至４１−９によりデコードされた９チャンネルのコンテンツの画像信号のそれぞれをスケーリングして、動画のサムネール画像の画像信号を生成する。生成部１４は、１つの表示面４に複数の画面を表示するための画像信号を生成する。具体的には、メイン表示エリアとサブ表示エリアの２画面の画像信号が生成される（表示エリアについては図４を参照して後述する。）。生成部１４は、生成した画像信号を表示部３に出力し、対応する画像を表示させる。
【００３１】
制御部１５は、画像信号取得部１１、処理部１２、スケーリング部１３、生成部１４、および記録部１７の各動作を制御する。
【００３２】
操作信号取得部１６は、ユーザが操作部２を操作することで操作部２から赤外線信号などで供給される、ユーザからの操作信号を取得する。取得された操作信号は制御部１５に供給される。制御部１５はこの操作信号に基づいて各部の動作を制御する。
【００３３】
記録部１７は、ハードディスク、光ディスク、光磁気ディスク、個体メモリなどにより構成され、画像信号取得部１１により取得された画像信号を記録する。記録部１７にはまた、必要に応じてコンピュータプログラムが記録される。
【００３４】
図２は操作部２としてのリモートコントローラの一実施の形態の構成を表している。把持部１００Ｌ，１００Ｒは、ユーザの手により把持される。移動ボタン１０１はカーソルなどの移動対象を上下左右に移動させるときユーザにより操作される。左側の把持部１００Ｌの先端に配置されているＬ１ボタン１０２と、右側の把持部１００Ｒの先端に配置されているＲ１ボタン１０３は、それぞれ音量を小さくするとき、または大きくするとき操作される。
【００３５】
L１ボタン１０２の下方（図２において紙面の裏面方向）に配置されているＬ２ボタン１０４と、Ｒ１ボタン１０３の下方（図２において紙面の裏面方向）に配置されているＲ２ボタン１０５は、左右２画面サイズ比率変更ボタンとして機能する。Ｌ２ボタン１０４は、表示面の左側に位置するメイン表示エリアの画面を大きくスケーリングするとき操作され、Ｒ２ボタン１０５は、表示面の右側に位置するサブ表示エリアの画面を大きくスケーリングするとき操作される。
【００３６】
セレクトボタン１０６は、プログレスバー表示モード切替ボタンとして機能し、プログレスバー表示モードを切り替えるとき操作される。スタートボタン１０７はシナリオを切り替えるとき操作される。３角マークボタン１０８は、テキスト情報表示モード切替ボタンとして機能し、テキスト情報表示モードを切り替えるとき操作される。４角マークボタン１０９は、全画面表示切替ボタンとして機能し、メイン表示エリアとサブ表示エリアの画像について共通に使用されるボタンであって、全画面表示を指示するときまたはその終了を指示するとき操作される。
【００３７】
×マークボタン１１０は、画面を戻すとき操作される。円マークボタン１１１は、決定ボタンとして機能し、サブ表示エリアで全画面拡大表示するサムネール画像の選択を決定するとき操作される。アナログスティック１１２Ｌは、左側に位置するメイン表示エリアの画像を大きくするとき左側に傾斜するように操作され、右側に位置するサブ表示エリアの画像を大きくするとき右側に傾斜するように操作される。アナログスティック１１２Ｌはまた、メイン表示エリアで拡大された画像の中心位置を変更するとき操作される。アナログスティック１１２Ｒは、全画面表示されているメイン表示エリアの画像の拡大率を変更するとき操作される。
【００３８】
次に図３のフローチャートを参照して、画像処理装置１が行う画像表示制御処理について説明する。この処理は画像信号の取得が指示されたとき開始される。
【００３９】
ステップＳ１において制御部１５は、デフォルトの表示をする。この実施の形態においては、図４に示されるように、表示部３の１つの表示面４の左側にメイン表示エリア２０２の画面を、右側にサブ表示エリア２０５の画面を、同じ大きさで表示する状態がデフォルトの状態とされる。
【００４０】
サブ表示エリア２０５は、９個（３×３個）の表示サブエリア２０４−１乃至２０４−９にマトリックス状に区分されており、それぞれに独立した動画像がマルチタイルビュー２０３として表示される。
【００４１】
すなわち、受信部３１−１乃至３１−９により同時に受信された異なるチャンネルの画像信号がエンデコーダ４１−１乃至４１−９によりデコードされる。スケーリング部１３はこれらの９個の画像信号をスケーリング（今の場合、縮小）して、サムネール画像の画像信号を生成する。また、スケーリング部１３は、９個のサムネール画像のうちの選択されたサムネール画像のチャンネルの画像信号を、メイン表示エリア２０２にメイン動画ビュー２０１として表示する画像の画像信号とする。今の場合、デフォルトの位置としての左上のサブ表示エリア２０４−１の画面の画像信号が、メイン表示エリア２０２の画面の画像信号とされる。
【００４２】
生成部１４はメイン表示エリア２０２の画面の画像信号とサブ表示エリア２０５の画面の画像信号とから、１つの表示面４の画像信号を生成し、表示部３に出力する。その結果、サブ表示エリア２０５に９個の（例えば、アナログ放送であれば、第１，３，４，６，８，１０，１２，１４，１６の各チャンネルの）異なる動画のサムネール画像が表示されるとともに、その中から選択された１つの動画像がメイン表示エリア２０２の画面の画像として表示される。
【００４３】
なお、記録部１７に一旦記録した９個の異なる画像信号を再生してサムネール画像をサブ表示エリア２０４に表示させ、その中から選択された画像をメイン表示エリア２０２に表示させることもできる。
【００４４】
ステップＳ２において制御部１５は、左右２画面サイズ比率の変更が指示されたかを判定する。すなわち、ユーザは左側のメイン表示エリア２０２の画面のサイズと、右側のサブ表示エリア２０５の画面のサイズの比率を変更する場合、Ｌ２ボタン１０４またはＲ２ボタン１０５を操作する。メイン表示エリア２０２の画面のサイズを大きくするときＬ２ボタン１０４が操作され、右側のサブ表示エリア２０５の画面のサイズを大きくするときＲ２ボタン１０５が操作される。
【００４５】
左右２画面のサイズの比率の変更が指示された場合（Ｌ２ボタン１０４またはＲ２ボタン１０５の操作信号が取得された場合）、ステップＳ３において左右２画面サイズ比率変更処理が実行される。
【００４６】
すなわち図５の中段に示されるように、メイン表示エリア２０２とサブ表示エリア２０５の画面のサイズが等しい状態で、Ｌ２ボタン１０４が操作された場合には、上段に示されるように、左側のメイン表示エリア２０２の画面のサイズが大きくなり、それと連携して右側のサブ表示エリア２０５の画面のサイズが小さくなる。また、メイン表示エリア２０２とサブ表示エリア２０５の画面のサイズが等しい状態で、Ｒ２ボタン１０５が操作された場合には、下段に示されるように、右側のサブ表示エリア２０５の画面のサイズが大きくなり、それと連携して左側のメイン表示エリア２０２の画面のサイズが小さくなる。その詳細は、図１２を参照して後述する。
【００４７】
ステップＳ３の処理の後、処理はステップＳ２に戻り、それ以降の処理が繰り返される。
【００４８】
ステップＳ２において、左右２画面サイズ比率の変更が指示されていないと判定された場合、ステップＳ４において制御部１５は、テキスト情報表示モードの変更が指示されたかを判定する。具体的には、テキスト情報表示モードの変更を指示するテキスト情報表示モード切替ボタンとしての３角マークボタン１０８の操作信号が取得されたかが判定される。
【００４９】
テキスト情報表示モードの変更が指示されていると判定された場合、ステップＳ５においてテキスト情報表示モード変更処理が実行される。すなわち図６に示されるように、テキスト情報表示モードには、メイン表示エリア２０２にテキスト情報表示エリアとしてのコンテンツメタデータ表示エリア２２１を表示し、かつ、サブ表示エリア２０５にテキスト情報表示エリアとしてのコンテンツメタデータ表示エリア２２２を表示するモード（図６の上段のモード）、メイン表示エリア２０２にはコンテンツメタデータ表示エリアを表示せず、サブ表示エリア２０５にのみコンテンツメタデータ表示エリア２２２を表示するモード（図６の中段のモード）、そしてメイン表示エリア２０２とサブ表示エリア２０５のいずれにもコンテンツメタデータ表示エリアを表示しないモード（図６の下段のモード）があり、それらの３つのモードが、３角マークボタン１０８の操作信号が取得される毎に順次、循環的に遷移する。その詳細は、図１５を参照して後述する。
【００５０】
ステップＳ５の処理の後、処理はステップＳ４に戻り、それ以降の処理が繰り返される。
【００５１】
ステップＳ４において、テキスト情報表示モードの変更が指示されていないと判定された場合、ステップＳ６において制御部１５は、プログレスバー表示モードの変更が指示されたかを判定する。具体的には、プログレスバー表示モードの変更を指示するプログレスバー表示モード切替ボタンとしてのセレクトボタン１０６の操作信号が取得されたかが判定される。
【００５２】
プログレスバー表示モードの変更が指示されていると判定された場合、ステップＳ７においてプログレスバー表示モード変更処理が実行される。すなわち図７に示されるように、プログレスバー表示モードには、メイン表示エリア２０２にプログレスバー表示エリア２３１を表示し、かつ、サブ表示エリア２０５にプログレスバー表示エリア２３２を表示するモード（図７の下段のモード）、メイン表示エリア２０２とサブ表示エリア２０５のいずれにもプログレスバー表示エリアを表示しないモード（図７の上段のモード）、そしてメイン表示エリア２０２にはプログレスバー表示エリア２３１を表示し、サブ表示エリア２０５にはプログレスバー表示エリアを表示しないモード（図７の中段のモード）があり、それらの３つのモードが、セレクトボタン１０６の操作信号が取得される毎に順次循環的に遷移する。その詳細は、図１８を参照して後述する。
【００５３】
ステップＳ７の処理の後、処理はステップＳ６に戻り、それ以降の処理が繰り返される。
【００５４】
ステップＳ６においてプログレスバー表示モードの変更が指示されていないと判定された場合、ステップＳ８において制御部１５は、各表示エリアに共通のスケーリングの操作信号が取得されたかを判定する。この実施の形態の場合、メイン表示エリア２０２とサブ表示エリア２０５に共通にスケーリングの指示に用いられるボタンは、全画面表示切替ボタンとしての４角マークボタン１０９である。そこで、４角マークボタン１０９の操作信号が取得されたかが判定される。
【００５５】
４角マークボタン１０９の操作信号が取得された場合、ステップＳ９において制御部１５は、メイン表示エリアがフォーカスされているかを判定する。メイン表示エリア２０２がフォーカスされているかどうかは、例えばカーソルがメイン表示エリア２０２に位置しているかどうかで判定することができる。この点については図１０を参照して後述する。
【００５６】
メイン表示エリア２０２がフォーカスされている場合、ステップＳ１０において制御部１５は、メイン表示エリア全画面表示処理を実行する。すなわち図８に示されるように、メイン表示エリア２０２にフォーカスされている状態で、メイン表示エリア２０２とサブ表示エリア２０５に共通のスケーリングの指示に用いられる４角マークボタン１０９の操作信号が取得された場合には、サブ表示エリア２０５の画面の表示は消去され、メイン表示エリア２０２の画面が表示面４の画面全体に大きく表示される。その詳細は図２１を参照して後述する。
【００５７】
ステップＳ９において、メイン表示エリア２０２がフォーカスされていないと判定された場合、ステップＳ１１において制御部１５は、サブ表示エリアがフォーカスされているかを判定する。この場合にも、サブ表示エリア２０５にカーソルが位置していれば、サブ表示エリア２０５がフォーカスされていると判定される。
【００５８】
サブ表示エリア２０５がフォーカスされている場合、ステップＳ１２において制御部１５は、サブ表示エリア全画面表示処理を実行する。すなわち図９に示されるように、サブ表示エリア２０５がフォーカスされている状態で、メイン表示エリア２０２とサブ表示エリア２０５に共通のスケーリングの指示に用いられる４角マークボタン１０９の操作信号が取得された場合には、メイン表示エリア２０２の画面の表示は消去され、サブ表示エリア２０５の画面が表示面４の画面全体に大きく表示される。その詳細は図２４を参照して後述する。
【００５９】
ステップＳ８で各表示エリアに共通のスケーリングの操作信号が取得されていないと判定された場合、ステップＳ１０の処理の後、ステップＳ１２の処理の後、並びにステップＳ１１でサブ表示エリアがフォーカスされていないと判定された場合、ステップＳ１３において制御部１５は、電源がオフされたかを判定する。電源がオフされていない場合、処理はステップＳ２に戻り、それ以降の処理が繰り返される。電源がオフされたと判定された場合、処理は終了される。
【００６０】
ここでユーザが画面に表示されている画像から所定の情報を選択する場合の処理について、図１０のフローチャートを参照して説明する。
【００６１】
ステップＳ５１において制御部１５は操作信号取得部１６からボタンの操作信号を取得したかを判定する。操作信号が取得されない場合、取得されるまで判定処理が繰り返される。操作信号が取得された場合、ステップＳ５２において制御部１５は、カーソルを表示する。図１１はこのようにしてカーソル２５１が表示された状態を表している。この実施の形態の場合、３×３個のマルチタイルビュー２０３の中央のサブ表示エリア２０４−５の位置が、カーソル２５１を表示するデフォルトの位置とされる。
【００６２】
ステップＳ５３において制御部１５は、移動ボタンの操作信号を取得したかを判定する。すなわちカーソル２５１を移動させるとき移動ボタン１０１が操作されるので、その操作信号が取得されたかが判定される。
【００６３】
移動ボタン１０１の操作信号が取得された場合、ステップＳ５４において制御部１５は、カーソルを移動可能であるかを判定する。移動可能であればステップＳ５５において制御部１５は、カーソルを移動する。これに対してカーソル２５１を移動することが不可能である場合には、カーソル２５１は移動されない。
【００６４】
ステップＳ５５の処理の後、およびステップＳ５４でカーソル２５１が移動不可能であると判定された場合、処理はステップＳ５３に戻り、それ以降の処理が繰り返される。
【００６５】
例えば、図１１の状態において、カーソル２５１の右方向への移動が指示された場合、カーソル２５１は１つ右側のサブ表示エリア２０４−６に移動される。その状態でさらに右への移動が指示された場合、さらに右側には移動先が存在しないので、カーソル２５１は移動不可能と判断され、移動されない。
【００６６】
図１１の状態から、左方向への移動が指示されると、カーソル２５１はサブ表示エリア２０４−４の位置に移動され、その位置からさらに左方向への移動が指示されると、カーソル２５１はメイン表示エリア２０２に移動される。メイン表示エリア２０２の内部において上下左右への移動先が存在する場合には、それぞれの位置へ移動される。
【００６７】
ステップＳ５３において移動ボタン２５１の操作信号が取得されていないと判定された場合、ステップＳ５６において制御部１５は、決定ボタンの操作信号が取得されたかを判定する。この実施の形態の場合、決定ボタンは円マークボタン１１１とされる。例えばカーソル２５１を所定の位置まで移動し、その位置の画像を選択する場合、ユーザは決定ボタンとしての円マークボタン１１１を操作し、選択を確定する。
【００６８】
ステップＳ５６において円マークボタン１１１の操作信号が取得されたと判定された場合、ステップＳ５７において制御部１５は、カーソルが位置する画像を選択する。例えば図１１に示される状態で円マークボタン１１１が操作された場合、サブ表示エリア２０４−５のサムネール画像が選択され、メイン表示エリア２０２に表示される。テキスト情報表示モードやプログレスバー表示モードが設定されている場合には、コンテンツメタデータ表示エリア２２１やプログレスバー表示エリア２３１に対応するテキスト情報やプログレスバーが表示される。なお、サブ表示エリア２０４−５のサムネール画像の表示はそのまま継続される。
【００６９】
ステップＳ５６において円マークボタン１１１の操作信号が取得されていないと判定された場合、並びにステップＳ５７の処理の後、処理はステップＳ５３に戻り、それ以降の処理が繰り返される。
【００７０】
制御部１５は、メイン表示エリア２０２とサブ表示エリア２０５のうち、カーソル２５１が表示されている方を、ユーザがいまフォーカスしている表示エリアと判定する。
【００７１】
次に図２のステップＳ３の左右２画面サイズ比率変更処理の詳細について図１２を参照して説明する。
【００７２】
Ｌ２ボタン１０４は左側に位置するメイン表示エリア２０２の画面を拡大し、それと連携して右側に位置するサブ表示エリア２０５の画面を縮小するようにスケーリングするとき操作されるボタンである。またＲ２ボタン１０５は右側に位置するサブ表示エリア２０５の画面を拡大し、それと連携して左側に位置するメイン表示エリア２０２の画面を縮小するようにスケーリングするとき操作されるボタンである。すなわちＬ２ボタン１０４の操作信号は、メイン表示エリア２０２の画面をサブ表示エリア２０５の画面と連携してスケーリングする個別の操作信号であり、Ｒ２ボタン１０５の操作信号は、サブ表示エリア２０５の画面をメイン表示エリア２０２の画面と連携してスケーリングする個別の操作信号である。
【００７３】
ステップＳ８１において制御部１５は、Ｌ２ボタンの操作信号が取得されたかを判定する。Ｌ２ボタン１０４の個別の操作信号が取得された場合、ステップＳ８２において制御部１５は、メイン表示エリア２０２の画面が最大であるかを判定する。画面が最大でない場合、ステップＳ８３において制御部１５は、左画面を大きいサイズにスケーリングし、連携して右画面を小さいサイズにスケーリングする。具体的には、左側に位置するメイン表示エリア２０２の画面が大きくされ、連携して右側に位置するサブ表示エリア２０５の画面が小さくされる。
【００７４】
ユーザがL２ボタン１０４を操作している間、スケーリングが行われ、操作を中止したときスケーリングが中止される。したがって、ユーザはL２ボタン１０４の操作期間を調整することで、メイン表示エリア２０２の画面のサイズを任意の大きさに調整することができる。メイン表示エリア２０２の画面が既に最大である場合、それ以上大きくすることはできないので、ステップＳ８３の処理は実行されない。
【００７５】
ステップＳ８３の処理の後、並びにステップＳ８２でメイン表示エリア２０２の画面は最大であると判定された場合、処理はステップＳ８１に戻り、それ以降の処理が繰り返される。
【００７６】
なお以上の処理は、アナログスティック１１２Ｌを左側に傾斜する操作信号が取得された場合にも同様に実行される。
【００７７】
ステップＳ８１においてＬ２ボタン１０４の操作信号が取得されていないと判定された場合、ステップＳ８４において制御部１５は、Ｒ２ボタンの操作信号が取得されたかを判定する。Ｒ２ボタン１０５の個別の操作信号が取得された場合、ステップＳ８５において制御部１５は、サブ表示エリア２０５の画面が最大であるかを判定する。画面が最大でない場合、ステップＳ８６において制御部１５は、右画面を大きいサイズにスケーリングし、連携して左画面を小さいサイズにスケーリングする。
【００７８】
具体的には、右側に位置するサブ表示エリア２０５の画面を大きくし、連携して左側に位置するメイン表示エリア２０２の画面を小さくする。ユーザがR２ボタン１０５を操作している間、スケーリングが行われ、操作を中止したときスケーリングが中止される。したがって、ユーザはR２ボタン１０５の操作期間を調整することで、サブ表示エリア２０５のサイズを任意の大きさに調整することができる。サブ表示エリア２０５の画面が既に最大である場合、それ以上大きくすることはできないので、ステップＳ８６の処理は実行されない。
【００７９】
ステップＳ８６の処理の後、並びにステップＳ８５でサブ表示エリア２０５の画面は最大であると判定された場合、処理はステップＳ８４に戻り、それ以降の処理が繰り返される。
【００８０】
以上のようにして、メイン表示エリア２０２は図１３に示されるように、最大のサイズのメイン表示エリア２０２Aと最小のサイズのメイン表示エリア２０２Bとの間の任意の大きさのサイズになる。図１３においてサブ表示エリア２０５は省略されている。
【００８１】
同様に、サブ表示エリア２０５は図１４に示されるように、最大のサイズのサブ表示エリア２０５Bの画面と最小のサイズのサブ表示エリア２０５Aの画面との間の任意の大きさのサイズになる。図１４においてメイン表示エリア２０２は省略されている。
【００８２】
なお以上のステップＳ８４乃至Ｓ８６の処理は、アナログスティック１１２Ｌを右側に傾斜する操作信号が取得された場合にも同様に実行される。
【００８３】
このように、メイン表示エリア２０２の画面とサブ表示エリア２０５の画面を、それぞれ操作に応じて独立にスケーリングさせるのではなく、一方が拡大すると他方が縮小するように連携してスケーリングさせるので、２つの画面が重なってしまい、見難くなるようなことが防止される。また、ユーザは、２画面のそれぞれに表示された２つのコンテンツを同時に並行して楽しむことができるだけでなく、簡単な操作で任意のタイミングで必要に応じて一方のコンテンツに重点的に楽しむことができる。
【００８４】
次に、図１５を参照して、図３のステップＳ５のテキスト情報表示モード処理の詳細を説明する。この図１５の処理は、図３のステップＳ４で、テキスト情報表示モードの変更が指示されたと判定された場合に実行される。
【００８５】
ステップＳ１０１において制御部１５は、メイン表示エリアとサブ表示エリアの両方の画面がテキスト情報表示モードかを判定する。メイン表示エリア２０２とサブ表示エリア２０５の両方の画面がテキスト情報表示モードである場合、図１６に示されるように、メイン表示エリア２０２の画面の下方にコンテンツメタデータ表示エリア２２１が表示されているとともに、サブ表示エリア２０４−１の下方にコンテンツメタデータ表示エリア２２２−１が表示されている。コンテンツメタデータ表示エリア２２１，２２２には、対応する画像に付随してユーザにメタデータとして提供されるテキスト情報が表示される。例えば、その番組のＥＰＧ（Electronic Program Guide）番組情報が表示される。
【００８６】
図１６を図４と比較して明らかなように、コンテンツメタデータ表示エリア２２１が表示されない場合（図４の場合）、メイン表示エリア２０２の画面はその高さ方向の中心が、サブ表示エリア２０５の画面の高さ方向の中心とほぼ同じ高さの位置（表示面４の垂直方向のほぼ中央の位置）になるように表示される。これにより、ユーザはメイン表示エリア２０２の画面とサブ表示エリア２０５の画面を同じ高さの視線で見ることができ、メイン表示エリア２０２の画面を見る場合とサブ表示エリア２０５の画面を見る場合とで、視線を上下する必要がなくなり、見易くなる。
【００８７】
これに対して、コンテンツメタデータ表示エリア２２１が表示される場合（図１６の場合）、メイン表示エリア２０２とコンテンツメタデータ表示エリア２２１の両方を含めた画面の高さ方向の中心が、サブ表示エリア２０５の画面の高さ方向の中心とほぼ同じ高さの位置になるように表示される。その結果、左側のメイン表示エリア２０２とコンテンツメタデータ表示エリア２２１の画面を見る場合と、右側のサブ表示エリア２０５の画面を見る場合とで、視線を上下する必要がなくなり、見易くなる。
【００８８】
なお図１６において、図示は省略するが、他のサブ表示エリア２０４−２乃至２０４−９の下方にも、対応するコンテンツメタデータ表示エリア２２２−２乃至２２２−９が表示される。
【００８９】
メイン表示エリア２０２とサブ表示エリア２０５の両方の画面がテキスト情報表示モードである場合、ステップＳ１０２において制御部１５は、メイン表示エリアの画面のテキスト情報表示モードを解除する。その結果、図１７に示されるように、メイン表示エリア２０２の画面のコンテンツメタデータ表示エリア２２１の表示は消去され、サブ表示エリア２０４−１のコンテンツメタデータ表示エリア２２２−１のみが表示された状態になる。
【００９０】
ステップＳ１０１において、メイン表示エリア２０２とサブ表示エリア２０５の両方の画面がテキスト情報表示モードではないと判定された場合、並びにステップＳ１０２の処理の後、ステップＳ１０３において制御部１５は、サブ表示エリアの画面だけがテキスト情報表示モードかを判定する。図１７に示されるように、サブ表示エリア２０５の画面だけがテキスト情報表示モードである場合、ステップＳ１０４において制御部１５は、サブ表示エリアの画面のテキスト情報表示モードを解除する。その結果、図４に示されるように、メイン表示エリア２０２の画面のコンテンツメタデータ表示エリア２２１と、サブ表示エリア２０４−１のコンテンツメタデータ表示エリア２２２−１の両方の表示が消去された状態になる。
【００９１】
ステップＳ１０３において、サブ表示エリア２０５の画面だけがテキスト表示モードではないと判定された場合、並びにステップＳ１０４の処理の後、ステップＳ１０５において制御部１５は、メイン表示エリアとサブ表示エリアの両方の画面が非テキスト情報表示モードかを判定する。図４に示されるように、メイン表示エリア２０２とサブ表示エリア２０５の両方の画面が非テキスト情報表示モードである場合、ステップＳ１０６において制御部１５は、メイン表示エリアとサブ表示エリアの両方の画面をテキスト情報表示モードにする。その結果、図１６に示されるように、メイン表示エリア２０２の画面のコンテンツメタデータ表示エリア２２１と、サブ表示エリア２０４−１のコンテンツメタデータ表示エリア２２２−１の両方が表示された状態になる。
【００９２】
ステップＳ１０５において、メイン表示エリア２０２とサブ表示エリア２０５の両方の画面が非テキスト情報表示モードではないと判定された場合、並びにステップＳ１０６の処理の後、処理は図３のステップＳ５に戻る。
【００９３】
以上の処理の結果、図６に示されるように、メイン表示エリア２０２とサブ表示エリア２０５の両方の画面がテキスト情報表示モードであるモード、サブ表示エリア２０５の画面のみがテキスト情報表示モードであるモード、およびメイン表示エリア２０２とサブ表示エリア２０５の両方の画面が非テキスト情報表示モードであるモードが、ユーザがテキスト情報表示モード切替ボタンである３角マークボタン１０８を操作するごとに順次切り替えられる。
【００９４】
次に、図１８を参照して、図３のステップＳ７のプログレスバー表示モード処理の詳細を説明する。この図１８の処理は、図３のステップＳ６で、プログレスバー表示モードの変更が指示されたと判定された場合に実行される。
【００９５】
ステップＳ１５１において制御部１５は、メイン表示エリアとサブ表示エリアの両方の画面が非プログレスバー表示モードかを判定する。メイン表示エリア２０２とサブ表示エリア２０５の両方の画面が非プログレスバー表示モードである場合、図４に示されるように、メイン表示エリア２０２とサブ表示エリア２０５のいずれの画面にもプログレスバー表示エリアは表示されていない。
【００９６】
メイン表示エリア２０２とサブ表示エリア２０５の両方の画面が非プログレスバー表示モードである場合、ステップＳ１５２において制御部１５は、メイン表示エリアの画面をプログレスバー表示モードにする。その結果、図１９に示されるように、メイン表示エリア２０２にプログレスバー表示エリア２３１が表示された状態になる。プログレスバー表示エリア２３１には、対応する画像の時間的進行の程度が表示される。すなわち、その画像の始点がプログレスバーの左端部とされ、終点が右端部とされ、画像の現在位置が左から右に時間の経過に伴って伸びる棒状のグラフによって示される。
【００９７】
ステップＳ１５１において、メイン表示エリア２０２とサブ表示エリア２０５の両方の画面が非プログレスバー表示モードではないと判定された場合、並びにステップＳ１５２の処理の後、ステップＳ１５３において制御部１５は、メイン表示エリアの画面だけがプログレスバー表示モードかを判定する。図１９に示されるように、メイン表示エリア２０２の画面だけがプログレスバー表示モードである場合、ステップＳ１５４において制御部１５は、サブ表示エリアの画面をプログレスバー表示モードにする。その結果、図２０に示されるように、メイン表示エリア２０２の画面にプログレスバー表示エリア２３１が表示されるとともに、サブ表示エリア２０４−１乃至２０４−９にもプログレスバー表示エリア２３２−１乃至２３２−９が表示された状態になる。
【００９８】
ステップＳ１５３において、メイン表示エリア２０２だけがプログレスバー表示モードではないと判定された場合、並びにステップＳ１５４の処理の後、ステップＳ１５５において制御部１５は、メイン表示エリアとサブ表示エリアの両方の画面がプログレスバー表示モードかを判定する。図２０に示されるように、メイン表示エリア２０２とサブ表示エリア２０５の両方の画面がプログレスバー表示モードである場合、ステップＳ１５６において制御部１５は、メイン表示エリアとサブ表示エリアの両方の画面を非プログレスバー表示モードにする。その結果、図４に示されるように、メイン表示エリア２０２とサブ表示エリア２０５のいずれの画面にもプログレスバー表示エリアは表示されない状態になる。
【００９９】
ステップＳ１５５において、メイン表示エリア２０２とサブ表示エリア２０５の両方がプログレスバー表示モードではないと判定された場合、並びにステップＳ１５６の処理の後、処理は図３のステップＳ７に戻る。
【０１００】
以上の処理の結果、図７に示されるように、メイン表示エリア２０２とサブ表示エリア２０５の両方の画面がプログレスバー表示モードではない状態、メイン表示エリア２０２の画面のみがプログレスバー表示モードである状態、およびメイン表示エリア２０２とサブ表示エリア２０５の両方の画面がプログレスバー表示モードである状態が、ユーザがセレクトボタン１０６を操作するごとに順次切り替えられる。
【０１０１】
次に図２１を参照して、図３のステップＳ１０のメイン表示エリア全画面表示処理の詳細について説明する。この処理は、図３のステップＳ９において、メイン表示エリア２０２がフォーカスされていると判定された場合に実行される。
【０１０２】
ステップＳ２０１において制御部１５は、メイン表示エリアの画面を全画面表示にする。すなわち、図２２に示されるように、サブ表示エリア２０５の画面は消去され、メイン表示エリア２０２の画面だけが表示面４のほぼ全部にわたってメイン動画ビュー２０１として表示される。
【０１０３】
ステップＳ２０２において制御部１５は、メイン表示エリアの画像のスケーリングの操作信号が取得されたかを判定する。具体的には、メイン表示エリア２０２の画像を１倍乃至４倍の範囲でスケーリングする場合、ユーザはアナログスティック１１２Ｒを前方に傾ける。拡大した画像を元の状態に戻す場合、ユーザはアナログスティック１１２Ｒを後方に傾ける。そこで、アナログスティック１１２Ｒの前後の傾斜の操作信号が取得された場合、ステップＳ２０３で制御部１５は、スケーリングが限界かを判定する。まだ限界（１倍または４倍）までスケーリングしていない場合、ステップＳ２０４において制御部１５は、メイン表示エリアの画像をスケーリングする。
【０１０４】
画像が限界まで拡大された場合、それ以上スケーリングすることはできない。そこでステップＳ２０３で画像が限界までスケーリングされたと判定された場合、並びにステップＳ２０４の処理の後、処理はステップＳ２０２に戻り、それ以降の処理が繰り返される。ユーザは、アナログスティック１１２Ｒを操作する時間を調整して、１倍乃至４倍の範囲で所望の大きさに画像を拡大表示させることができる。
【０１０５】
図２３は、以上のようにしてメイン表示エリア２０２の画像が拡大する様子を表している。この図においては、小さいメイン表示エリア２０２Cの画像が、大きいメイン表示エリア２０２Dの間の画像に拡大されている。
【０１０６】
ステップＳ２０２においてメイン表示エリアの画像のスケーリングの操作信号が取得されていないと判定された場合、ステップＳ２０５において制御部１５は、移動の操作信号が取得されたかを判定する。ユーザは最大４倍まで拡大した画像の中心を移動させる場合、アナログスティック１１２Ｌを操作する。このアナログスティック１１２Ｌの操作に対応して移動の操作信号が取得される。
【０１０７】
移動の操作信号が取得された場合、ステップＳ２０６において制御部１５は、拡大表示されているメイン表示エリア２０２の画像の中心を操作の方向に対応して移動する。その後処理はステップＳ２０５に戻り、それ以降の処理が繰り返される。すなわちユーザは、アナログスティック１１２Ｌを操作する時間を調整することで、拡大画像の任意の位置を中心に配置して表示させることができる。これにより画像を拡大した結果、ユーザが見たいと考えている部分が表示の範囲外となってしまい、確認できなくなってしまうようなことが防止される。
【０１０８】
ステップＳ２０５において移動の操作信号が取得されていないと判定された場合、ステップＳ２０７において制御部１５は、電源がオフされたかを判定する。電源がオフされたと判定された場合、処理は終了される。
【０１０９】
電源がオフされていない場合、ステップＳ２０８において制御部１５は、各表示エリアに共通のスケーリングの操作信号が取得されたかを判定する。すなわち、図３のステップＳ８における場合と同様の判定処理が行われる。
【０１１０】
上述したように、各表示エリアに共通のスケーリングの操作は、全画面表示切替ボタンである４角マークボタン１０９の操作であるから、４角マークボタン１０９の操作信号が取得されたかが判定される。４角マークボタン１０９の操作信号が取得されていない場合、処理はステップＳ２０２に戻り、それ以降の処理が繰り返される。
【０１１１】
４角マークボタン１０９の操作信号が取得された場合、ステップＳ２０９において制御部１５は、メイン表示エリアの画面の全画面表示を解除する。
【０１１２】
以上のようにして、メイン表示エリア２０２の画面がフォーカスされている状態で、ユーザが４角マークボタン１０９を操作すると、メイン表示エリア２０２の画面が全画面表示される。全画面表示されている状態でアナログスティック１１２Ｒが操作されると、１倍乃至４倍の範囲でメイン表示エリア２０２の画像が拡大表示される。そして、全画面表示状態において４角マークボタン１０９が操作されると、全画面状態が解除され、メイン表示エリア２０２とサブ表示エリア２０５の２画面が表示された状態に戻る。
【０１１３】
次に図２４を参照して、図３のステップＳ１２のサブ表示エリア全画面表示処理の詳細について説明する。この処理は、図３のステップＳ１１において、サブ表示エリア２０５がフォーカスされていると判定された場合に実行される。
【０１１４】
ステップＳ２５１において制御部１５は、サブ表示エリアを全画面表示にする。すなわち、図２５に示されるように、メイン表示エリア２０２の画面は消去され、サブ表示エリア２０５だけが表示面４のほぼ全部にわたって表示される。なお、実際には、図９に示されるように、サブ表示エリア２０４−１乃至２０４−９のうち、そのときカーソル２５１で選択されているサブ表示エリア２５４だけが他のサブ表示エリアより若干大きく表示される。この場合、選択されたサブ表示エリアに隣接するサブ表示エリアの一部は、選択されたサブ表示エリアにより若干隠された状態になる。
【０１１５】
ステップＳ２５２において制御部１５は、サブ表示エリアの選択を決定する操作信号が取得されたかを判定する。具体的には、ユーザは、９個のサブ表示エリア２０４の画像のうちの１つを拡大する場合、カーソル２５１で１つのサブ表示エリア２０４を選択した後、さらに円マークボタン１１１を操作し、選択を決定する。そこで、円マークボタン１１１の操作信号が取得された場合、ステップＳ２５３において制御部１５は、カーソルで選択されたサブ表示エリア２０４をスケーリングする（いまの場合、拡大する）。
【０１１６】
ステップＳ２５３の処理の後、処理はステップＳ２５２に戻り、それ以降の処理が繰り返される。
【０１１７】
図２６は、以上のようにしてサブ表示エリア２０４のサムネール画像が拡大される様子を表している。この実施の形態では、左上のサブ表示エリア２０４−１Aがサブ表示エリア２０４−１Ｂとして拡大されている。１つのサブ表示エリア２０４−１Ｂが拡大されても、右端部と下端部に位置するサブ表示エリア２０４−３，２０４−６，２０４−７，２０４−８，２０４−９の一部が隠されずに表示されている。これにより、ユーザは今全画面表示されているのがメイン表示エリア２０２ではなく、サブ表示エリア２０５であることを簡単に認識することができる。その結果、誤操作を未然に防止することができる。
【０１１８】
ステップＳ２５２においてサブ表示エリア２０４の選択を決定する操作信号が取得されていないと判定された場合、ステップＳ２５４において制御部１５は、電源がオフされたかを判定する。電源がオフされたと判定された場合、処理は終了される。
【０１１９】
電源がオフされていない場合、ステップＳ２５５において制御部１５は、各表示エリアに共通のスケーリングの操作信号が取得されたかを判定する。すなわち、図３のステップＳ８における場合と同様の判定処理が行われる。
【０１２０】
上述したように、各表示エリアに共通のスケーリングの操作は、４角マークボタン１０９の操作であるから、４角マークボタン１０９の操作信号が取得されたかが判定される。４角マークボタン１０９の操作信号が取得されていない場合、処理はステップＳ２５２に戻り、それ以降の処理が繰り返される。
【０１２１】
４角マークボタン１０９の操作信号が取得された場合、ステップＳ２５６において制御部１５は、サブ表示エリアの全画面表示を解除する。その後、処理は図３のステップＳ１２に戻る。
【０１２２】
以上のようにして、サブ表示エリア２０５がフォーカスされている状態で、ユーザが４角マークボタン１０９を操作すると、サブ表示エリア２０５が全画面表示される。全画面表示されている状態で１つのサブ表示エリア２０４が選択され、円マークボタン１１１が操作されると、選択されたサブ表示エリア２０４が拡大表示される。そして、全画面表示状態において４角マークボタン１０９が操作されると、全画面状態が解除され、メイン表示エリア２０２とサブ表示エリア２０５の２画面が表示された状態に戻る。
【０１２３】
以上の各機能は独立しており、複合して実行させることができる。
【０１２４】
例えば図２７は、メイン表示エリア２０２のプログレスバー２３１を表示させたモードにおいて全画面表示を指示した場合の表示の状態を表している。この状態は、メイン表示エリア２０２の画面を全画面表示している場合にプログレスバー表示モードを設定しても実現されるし、メイン表示エリア２０２の画面にプログレスバー表示モードを設定している場合に全画面表示を指示しても実現される。説明は省略するが、以下の例でも機能の指示の順番に拘わらず、複数の機能を複合させることができる。
【０１２５】
図２８はサブ表示エリア２０４のプログレスバー２３２を表示させたモードにおいて全画面表示を指示した場合の表示の状態を表している。
【０１２６】
図２９はメイン表示エリア２０２とサブ表示エリア２０４のそれぞれにおいて、プログレスバー表示エリア２３１，２３２と、コンテンツメタデータ表示エリア２２１，２２２を表示させた状態を表している。
【０１２７】
図３０はメイン表示エリア２０２の画面にプログレスバー２３１を表示させるとともに、サブ表示エリア２０４には、プログレスバー表示エリア２３２とコンテンツメタデータ表示エリア２２２を表示させた状態を表している。
【０１２８】
図３１はメイン表示エリア２０２の画面にプログレスバー表示エリア２３１を表示させるとともに、サブ表示エリア２０４には、コンテンツメタデータ表示エリア２２２を表示させた状態を表している。
【０１２９】
図３２はメイン表示エリア２０２の画面にコンテンツメタデータ表示エリア２２１とプログレスバー表示エリア２３１を表示させるとともに、サブ表示エリア２０４には、コンテンツメタデータ表示エリア２２２を表示させた状態を表している。
【０１３０】
図３３はメイン表示エリア２０２にコンテンツメタデータ表示エリア２２１を表示させた状態において、左右２画面サイズ比率変更処理を行った場合の変化の様子を表している。
【０１３１】
なお、当然のことながら、機能の複合は上述した場合に限られるものではない。
【０１３２】
図３４は上述した機能の状態の遷移を表している。画像処理装置１が起動されると、メイン表示エリア２０２とサブ表示エリア２０４の画面が同じ大きさで表示され、そのいずれにもテキスト情報表示モードが設定されるが、プログレスバー表示モードは設定されない。
【０１３３】
左右２画面サイズ比率変更処理においては、左側のメイン表示エリア２０２の画面が小さく、右側のサブ表示エリア２０５の画面が大きい状態でＬ２ボタン１０４が操作されると、左側のメイン表示エリア２０２の画面が次第に大きくなり、右側のサブ表示エリア２０５の画面が次第に小さくなり、ついには両者は同じ大きさになる。さらに操作されると、左側のメイン表示エリア２０２の画面が大きくなり、右側のサブ表示エリア２０５の画面が小さい状態なる。
【０１３４】
左側のメイン表示エリア２０２の画面が大きく、右側のサブ表示エリア２０５の画面が小さい状態でＲ２ボタン１０５が操作されると、左側のメイン表示エリア２０２の画面が次第に小さくなり、右側のサブ表示エリア２０５の画面が次第に大きくなり、ついには両者は同じ大きさになる。さらに操作されると、左側のメイン表示エリア２０２の画面が小さくなり、右側のサブ表示エリア２０５の画面が大きい状態なる。
【０１３５】
テキスト情報表示モードにおいては、テキスト情報表示モード切替ボタンとしての３角マークボタン１０８が操作される毎に、状態が、メイン表示エリア２０２とサブ表示エリア２０５の両方の画面にコンテンツメタデータ表示エリア２２１，２２２が表示された状態、サブ表示エリア２０５の画面だけにコンテンツメタデータ表示エリア２２２が表示された状態、メイン表示エリア２０２とサブ表示エリア２０５のいずれの画面にもコンテンツメタデータ表示エリア２２１，２２２が表示されない状態、メイン表示エリア２０２とサブ表示エリア２０５の両方の画面にコンテンツメタデータ表示エリア２２１，２２２が表示された状態に順次循環的に遷移する。
【０１３６】
プログレスバー表示モードにおいては、プログレスバー表示モード切替ボタンとしてのセレクトボタン１０６が操作される毎に、状態が、メイン表示エリア２０２とサブ表示エリア２０４の両方の画面にプログレスバー表示エリアが表示されていない状態、メイン表示エリア２０２の画面だけにプログレスバー表示エリア２３１が表示された状態、メイン表示エリア２０２とサブ表示エリア２０５の両方の画面にプログレスバー表示エリア２３１，２３２が表示された状態、メイン表示エリア２０２とサブ表示エリア２０４の両方の画面にプログレスバー表示エリアが表示されていない状態、に順次循環的に遷移する。
【０１３７】
左右２画面表示状態において全画面表示切替ボタンとしての４角ボタン１０９が操作されると、メイン表示エリア２０２とサブ表示エリア２０４の画面のうち、フォーカスされている方が全画面表示され、全画面表示状態において４角ボタン１０９が操作されると、全画面表示状態が解除され、左右２画面表示状態に戻る。
【０１３８】
メイン表示エリア２０２の画面の全画面表示状態においてアナログスティック１１２Ｒが操作されると、その操作角度に応じた１倍乃至４倍の範囲の大きさに拡大表示が行われる。アナログスティック１１２Ｌが操作されると、拡大画像の中心位置が移動される。ただし、１倍のときは移動不可とされる。
【０１３９】
サブ表示エリア２０５の全画面表示状態において決定ボタンとしての円マークボタン１１１が操作されると、カーソル２５１による選択が確定され、選択されているサブ表示エリア２０４が拡大表示される。
【０１４０】
以上のように、この実施の形態の場合、４角マークボタン１０９が、メイン表示エリア２０２とサブ表示エリア２０５の両方の全画面表示に共通に使用される。そしてカーソル２５１でフォーカスされている方が全画面表示される。従って、メイン表示エリア２０２の画面を拡大する場合と、サブ表示エリア２０５の画面を拡大する場合のそれぞれに専用のボタンを設ける場合に比べて、ボタンの数を少なくすることができ、その分ユーザは多くのボタンの中から１つのボタンを迅速に選択することが可能となり、誤操作が抑制され、操作性が向上する。
【０１４１】
図３５は操作部２としてのリモートコントローラの他の実施の形態の構成を表している。図３５において、図２に対応するボタンには、対応する符号を付してある。繰り返しになるのでその説明は省略するが、図３５のリモートコントローラによっても、図２のリモートコントローラと同様の操作を実現することができる。
【０１４２】
このコントローラは図２のコントローラと異なる複数のボタンを有している。それぞれのボタンは割り付けられている所定の機能を実行するとき操作されるが、本発明と直接関係しないのでその説明は省略する。
【０１４３】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１４４】
コンピュータにインストールされ、コンピュータによって実行可能な状態とされるプログラムを格納するプログラム記録媒体は、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア、または、プログラムが一時的もしくは永続的に格納されるROMや、ハードディスクなどにより構成される。プログラム記録媒体へのプログラムの格納は、必要に応じてルータ、モデムなどのインタフェースを介して、ローカルエリアネットワーク、インターネット、デジタル衛星放送といった、有線または無線の通信媒体を利用して行われる。
【０１４５】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【０１４６】
また、本発明の実施の形態は、上述した実施の形態に限定されるものではなく、本発明の要旨を逸脱しない範囲において種々の変更が可能である。
【図面の簡単な説明】
【０１４７】
【図１】本発明の画像処理装置の一実施の形態の構成を表すブロック図である。
【図２】操作部の一実施の形態の構成を示す平面図である。
【図３】画像表示制御処理を説明するフローチャートである。
【図４】左右の2画像が連携表示されている状態を示す図である。
【図５】左右２画面の連携したスケーリングを説明する図である。
【図６】テキスト情報表示モードの遷移を説明する図である。
【図７】プログレズバー表示モードの遷移を説明する図である。
【図８】メイン表示エリアの全画面表示を説明する図である。
【図９】サブ表示エリアの全画面表示を説明する図である。
【図１０】選択処理を説明するフローチャートである。
【図１１】フォーカスを説明する図である。
【図１２】左右２画面サイズ比率変更処理を説明するフローチャートである。
【図１３】左右２画面連携表示時のメイン表示エリアの画面のスケーリングを説明する図である。
【図１４】左右２画面連携表示時のサブ表示エリアの画面のスケーリングを説明する図である。
【図１５】テキスト情報表示モード処理を説明するフローチャートである。
【図１６】コンテンツメタデータ表示エリアを表示した状態を示す図である。
【図１７】他のコンテンツメタデータ表示エリアを表示した状態を示す図である。
【図１８】プログレスバー表示モード処理を説明するフローチャートである。
【図１９】プログレスバー表示エリアを表示した状態を示す図である。
【図２０】他のプログレスバー表示エリアを表示した状態を示す図である。
【図２１】メイン表示エリア全画面表示処理を説明する図である。
【図２２】メイン表示エリアの画面を全画面表示した状態を示す図である。
【図２３】メイン表示エリアの画面の全画面表示モード時における拡大表示を説明する図である。
【図２４】サブ表示エリア全画面表示処理を説明するフローチャートである。
【図２５】サブ表示エリアの画面を全画面表示した状態を示す図である。
【図２６】１つのサブ表示エリアの画面を拡大表示した状態を示す図である。
【図２７】プログレスバー表示エリアを表示したメイン表示エリアの画面を全画面表示した状態を示す図である。
【図２８】プログレスバー表示エリアを表示したサブ表示エリアの画面を全画面表示した状態を示す図である。
【図２９】プログレスバー表示エリアとコンテンツメタデータ表示エリアをメイン表示エリアとサブ表示エリアの画面に表示した状態を示す図である。
【図３０】メイン表示エリアの画面にプログレスバー表示エリアを表示するとともに、サブ表示エリアの画面にプログレスバー表示エリアとコンテンツメタデータ表示エリアを表示した状態を示す図である。
【図３１】メイン表示エリアの画面にプログレスバー表示エリアを表示するとともに、サブ表示エリアの画面にコンテンツメタデータ表示エリアを表示した状態を示す図である。
【図３２】メイン表示エリアの画面にコンテンツメタデータ表示エリアとプログレスバー表示エリアを表示するとともに、サブ表示エリアの画面にコンテンツメタデータ表示エリアを表示した状態を示す図である。
【図３３】メイン表示エリアの画面にコンテンツメタデータ表示エリアを表示するとともに、サブ表示エリアの画面にプログレスバー表示エリアとコンテンツメタデータ表示エリアを表示しない状態における、左右２画面サイズ比率の変更を説明する図である。
【図３４】機能の状態遷移を説明する図である。
【図３５】操作部の他の実施の形態の構成を示す平面図である。
【符号の説明】
【０１４８】
１  画像処理装置，  ２  操作部，  ３  表示部，  ４  表示面，  １１  画像信号取得部，  １２  処理部，  １３  スケーリング部，  １４  生成部，  １５  制御部，  １６  操作信号取得部，  １７  記録部
【図１】
0004535150.tif 000002
【図２】
0004535150.tif 000003
【図３】
0004535150.tif 000004
【図４】
0004535150.tif 000005
【図５】
0004535150.tif 000006
【図６】
0004535150.tif 000007
【図７】
0004535150.tif 000008
【図８】
0004535150.tif 000009
【図９】
0004535150.tif 000010
【図１０】
0004535150.tif 000011
【図１１】
0004535150.tif 000012
【図１２】
0004535150.tif 000013
【図１３】
0004535150.tif 000014
【図１４】
0004535150.tif 000015
【図１５】
0004535150.tif 000016
【図１６】
0004535150.tif 000017
【図１７】
0004535150.tif 000018
【図１８】
0004535150.tif 000019
【図１９】
0004535150.tif 000020
【図２０】
0004535150.tif 000021
【図２１】
0004535150.tif 000022
【図２２】
0004535150.tif 000023
【図２３】
0004535150.tif 000024
【図２４】
0004535150.tif 000025
【図２５】
0004535150.tif 000026
【図２６】
0004535150.tif 000027
【図２７】
0004535150.tif 000028
【図２８】
0004535150.tif 000029
【図２９】
0004535150.tif 000030
【図３０】
0004535150.tif 000031
【図３１】
0004535150.tif 000032
【図３２】
0004535150.tif 000033
【図３３】
0004535150.tif 000034
【図３４】
0004535150.tif 000035
【図３５】
0004535150.tif 000036